(57)【要約】【課題】節電効果をより一層高めると共に、オートパワーオフした状態から通常の運転状態に戻るときに要する時間を、極力、従来構成と同等程度にする。【解決手段】本発明の携帯端末１は、オートパワーオフ条件に達したときに、スタンバイ状態へ移行する運転制御手段２を備え、この運転制御手段２は、ユーザーにより電源オフ操作が実行されたときに、ＲＡＭ５内の情報を不揮発性メモリ６に退避させてから、ＲＡＭ５へ供給する電源をオフする電源オフ状態に移行させるように構成されており、更に、作業開始時刻や休息開始時刻や作業終了時刻等の情報からなる動作スケジュールを記憶する記憶手段６を備え、運転制御手段２は、オートパワーオフ条件に達したときに、現在時刻と動作スケジュールに基づいてスタンバイ状態または電源オフ状態のいずれかを選択して移行させるように構成されている。【選択図】図１
2007299310.tif 000002
【特許請求の範囲】
【請求項１】
オートパワーオフ条件に達したときに、スタンバイ状態へ移行する運転制御手段を備え、この運転制御手段は、ユーザーにより電源オフ操作が実行されたときに、ＲＡＭ内の情報を不揮発性メモリに退避させてから、前記ＲＡＭへ供給する電源をオフする電源オフ状態に移行させるように構成されている携帯端末において、
作業開始時刻や休息開始時刻や作業終了時刻等の情報からなる動作スケジュールを記憶する記憶手段を備え、
前記運転制御手段は、前記オートパワーオフ条件に達したときに、現在時刻と前記動作スケジュールに基づいてスタンバイ状態または電源オフ状態のいずれかを選択して移行させるように構成されていることを特徴とする携帯端末。
【請求項２】
前記運転制御手段は、前記オートパワーオフ条件に達したときに現在時刻が作業時間内であるときには、スタンバイ状態を選択して移行させて待機するように構成されていることを特徴とする請求項１記載の携帯端末。
【請求項３】
前記運転制御手段は、前記オートパワーオフ条件に達したときに現在時刻が作業時間外または休息時間内であるときには、電源オフ状態を選択して移行させ、作業開始時刻の直前でスタンバイ状態に移行させて待機するように構成されていることを特徴とする請求項２記載の携帯端末。
【請求項４】
前記運転制御手段は、前記オートパワーオフ条件に達したときに現在時刻が作業時間外または休息時間内であっても、現在時刻から作業開始時刻までの時間が設定時間以下であるときには、スタンバイ状態を選択して移行させて待機するように構成されていることを特徴とする請求項３記載の携帯端末。
【請求項５】
前記設定時間は、前記動作スケジュールの中の最短の休息時間に基づいて設定されることを特徴とする請求項４記載の携帯端末。
【請求項６】
前記設定時間は、ユーザーにより手動で設定されることを特徴とする請求項４記載の携帯端末。
【請求項７】
前記運転制御手段は、前記動作スケジュールが記憶されていないときには、前記オートパワーオフ条件に達したときに電源オフ状態を選択して移行させるように構成されていることを特徴とする請求項１ないし４のいずれかに記載の携帯端末。
【請求項８】
前記運転制御手段は、スタンバイ状態に移行させて待機している状態において、設定時間が経過したときには、電源オフ状態に移行させるように構成されていることを特徴とする請求項１ないし７のいずれかに記載の携帯端末。
【発明の詳細な説明】
【技術分野】
【０００１】
本発明は、工場や店舗等の事業所で使用されることが多い携帯端末である例えばＢＨＴ（バーコードハンディターミナル）に好適する携帯端末に関する。
【背景技術】
【０００２】
工場や店舗等で使用されるＢＨＴは、電池（バッテリ）を電源として駆動されることから、運転時間を長くするために、種々の節電対策が施されている。節電対策の一例として、オートパワーオフ機能が組み込まれている（例えば特許文献１参照）。このオートパワーオフ機能は、ユーザーがＢＨＴを使用しない状態が所定時間経過したときに、即ち、オートパワーオフ条件に達したときに、スタンバイ状態へ移行する機能である。このスタンバイ状態は、ＢＨＴのディスプレイやスキャン用の光源やその他の光源等を消灯させた待機状態であり、通常の運転状態に比べて節電することができる。そして、上記スタンバイ状態において、ユーザーが電源オン操作（電源スイッチをオン操作）を行うと、ディスプレイや各種の光源等が直ちに点灯され、通常の運転状態に戻るようになっている。
【特許文献１】特開平５−１８２００６号公報
【発明の開示】
【発明が解決しようとする課題】
【０００３】
上記スタンバイ状態の場合、ＲＡＭに対しては電源が供給された状態が保持されており、ＲＡＭ内のデータが保持されていると共に、直ちに通常の運転状態に復帰することが可能となっている。
【０００４】
これに対して、近年、節電効果を更に高めることが要望されていることから、オートパワーオフするときに、ＲＡＭへ供給する電源をオフして、節電効果を高めることを、本発明者は考えている。しかし、オートパワーオフ条件に達したときに、ＲＡＭへ供給する電源をオフする電源オフ状態に移行させた場合、この後、電源オフ状態において、ユーザーが電源オン操作（電源スイッチをオン操作）を行うと、フラッシュＲＯＭに退避しておいたデータをＲＡＭに戻す処理を実行しないと、通常の運転状態に戻らない。そして、フラッシュＲＯＭに退避しておいたデータをＲＡＭに戻す処理の実行に、ある程度の時間（例えば４０〜５０秒）がかかることから、従来のオートパワーオフした状態（即ち、スタンバイ状態）から通常の運転状態に戻る場合（例えば１〜２秒程度の時間）に比べて、かなり長い時間がかかってしまうため、ユーザーが違和感を強く感じてしまうという不具合が発生するおそれがあった。
【０００５】
そこで、本発明の目的は、節電効果をより一層高めることができると共に、オートパワーオフした状態から通常の運転状態に戻るときに要する時間を、極力、従来構成と同等程度にすることができる携帯端末を提供するにある。
【課題を解決するための手段】
【０００６】
本発明の携帯端末は、オートパワーオフ条件に達したときに、スタンバイ状態へ移行する運転制御手段を備え、この運転制御手段は、ユーザーにより電源オフ操作が実行されたときに、ＲＡＭ内の情報を不揮発性メモリに退避させてから、前記ＲＡＭへ供給する電源をオフする電源オフ状態に移行させるように構成されているものにおいて、作業開始時刻や休息開始時刻や作業終了時刻等の情報からなる動作スケジュールを記憶する記憶手段を備え、前記運転制御手段は、前記オートパワーオフ条件に達したときに、現在時刻と前記動作スケジュールに基づいてスタンバイ状態または電源オフ状態のいずれかを選択して移行させるように構成されているところに特徴を有する。
【０００７】
上記構成によれば、オートパワーオフ条件に達したときに、現在時刻と前記動作スケジュールに基づいてスタンバイ状態または電源オフ状態のいずれかを選択して移行させるように構成したので、ユーザーが電源オン操作する可能性が低いときには、電源オフにすることができ、ユーザーが電源オン操作する可能性が高いときには、スタンバイ状態にすることができる。従って、節電効果をより一層高めることができると共に、オートパワーオフした状態から通常の運転状態に戻るときに要する時間を、極力、従来構成と同等程度にすることができる。
【０００８】
また、上記構成の場合、前記運転制御手段は、前記オートパワーオフ条件に達したときに現在時刻が作業時間内であるときには、スタンバイ状態を選択して移行させて待機するように構成されていることが好ましい。
【０００９】
更に、前記運転制御手段は、前記オートパワーオフ条件に達したときに現在時刻が作業時間外または休息時間内であるときには、電源オフ状態を選択して移行させ、作業開始時刻の直前でスタンバイ状態に移行させて待機するように構成されていることが良い。
【００１０】
更にまた、前記運転制御手段は、前記オートパワーオフ条件に達したときに現在時刻が作業時間外または休息時間内であっても、現在時刻から作業開始時刻までの時間が設定時間以下であるときには、スタンバイ状態を選択して移行させて待機するように構成されていることがより一層好ましい。
【００１１】
この場合、前記設定時間は、前記動作スケジュールの中の最短の休息時間に基づいて設定されることが良い構成である。また、前記設定時間は、ユーザーにより手動で設定されることも好ましい。
【００１２】
更に、前記運転制御手段は、前記動作スケジュールが記憶されていないときには、前記オートパワーオフ条件に達したときに電源オフ状態を選択して移行させるように構成されていることが良い構成である。
【００１３】
また、前記運転制御手段は、スタンバイ状態に移行させて待機している状態において、設定時間が経過したときには、電源オフ状態に移行させるように構成されていることがより一層好ましい構成である。
【発明を実施するための最良の形態】
【００１４】
以下、本発明をＢＨＴ（バーコードハンディターミナル）に適用した第１の実施例について、図１及び図２を参照して説明する。まず、図１は、本実施例のＢＨＴ（携帯端末）１の電気的構成を示すブロック図である。ＢＨＴ１は、ＣＰＵ２と、受光部３と、画像処理部４と、ＲＡＭ５と、ＦＬＡＳＨＲＯＭ６と、ＲＯＭ７と、表示器８と、無線通信部９と、有線通信部１０と、操作部１１と、電源回路１２と、電池１３とを備えて構成されている。
【００１５】
ＣＰＵ２は、ＢＨＴ１の動作全般を制御する機能を有しており、ＲＯＭ７に記憶されているプログラムに従って動作する。受光部３は、ＣＣＤ１４と、ＡＭＰ（増幅回路）１５と、Ａ／Ｄ変換器１６とから構成されている。ＣＣＤ１４は、２次元コードやバーコード等の情報コードを光学系１７を介して撮影し、撮影した画像信号をＡＭＰ１５により増幅し、Ａ／Ｄ変換器１６によりＡ／Ｄ変換し、変換した画像データを画像処理部４へ出力するように構成されている。尚、情報コードは、上記撮影時に例えばＬＥＤ等からなる照明部１８により照明されるように構成されている。
【００１６】
画像処理部４は、上記画像データを取り込み、この画像データをＲＡＭ５に記憶すると共に、上記データに含まれる情報コードを解析してデコードするように構成されている。尚、情報コードのデコード処理は、ＣＰＵ２で実行しても良い。上記デコード結果は、ＲＡＭ５に記憶されると共に、無線通信部９または有線通信部１０を介して外部の機器（レジスタやホストコンピュータ等）へ出力されるように構成されている。
【００１７】
表示器８は、例えばＬＣＤで構成されており、ＣＰＵ２により表示制御されることにより、種々の情報（上記でコード結果を含む）が表示される。操作部１１は、トリガースイッチや各種の操作スイッチを備えて構成されており、これらスイッチのスイッチ信号はＣＰＵ２に与えられる。電源回路１２は、電池１３からの電力を入力して、所定の定電圧電源を生成し、この定電圧電源をＣＰＵ２をはじめとして各部へ供給するように構成されている。また、電池１３は充電可能な２次電池で構成されており、外部の充電用電源により電源回路１２を介して充電可能なように構成されている。尚、上記電池１３を、１次電池で構成しても良い。
【００１８】
また、ＣＰＵ２は、電源回路１２から各部への電源供給を各別にオンオフすることが可能なように構成されている。
さて、ＢＨＴ１の電源オフの状態は、ユーザーが電源オフのキー操作を実行することにより、ＣＰＵ２が、ＣＰＵ２を除いて上記各部への電源供給をほとんど停止した状態（いわゆる電源オフ状態）である。そして、ＢＨＴ１の電源オンの状態は、ユーザーが電源オンのキー操作を実行することにより、ＣＰＵ２が、上記各部への電源供給を開始した状態いわゆる電源オン状態）である。
【００１９】
また、ＢＨＴ１のスタンバイ状態は、ＢＨＴ１の節電モードであり、ＣＰＵ２により、表示器８、照明部１８、受光部３、通信部９、１０等に対する電源供給を停止した状態であると共に、少なくともＲＡＭ５への電源供給を保持した状態である。ＣＰＵ２は、オートパワーオフ条件に達したときに、例えばユーザーがＢＨＴ１を操作しない状態が設定時間（予め決められた例えば５分、１０分等の時間）経過したときに、ＢＨＴ１を自動的に上記スタンバイ状態に移行させるように構成されている。この場合、ＣＰＵ２は、運転制御手段としての機能を有している。
【００２０】
ここで、上記スタンバイ状態において、ＲＡＭ５への電源供給を保持している理由は、スタンバイ状態からユーザーが電源オン操作して電源オン状態へ戻すのに要する時間を短くする、例えば１秒程度にするためである。ちなみに、ＲＡＭ５への電源供給を停止した電源オフ状態からユーザーが電源オン操作して電源オン状態へ戻すのに要する時間は、４０〜５０秒程度である。
【００２１】
このように長い時間が掛かる理由は、ＢＨＴ１の電源をオフするときに、ＲＡＭ５内のデータを不揮発性メモリであるＦＬＡＳＨＲＯＭ６に退避しておき、電源オフ状態から電源オン状態へ移行させるときに、上記退避しておいたデータをＦＬＡＳＨＲＯＭ６からＲＡＭ５へ復帰させる処理を実行する必要があり、この復帰処理にかなり長い時間（４０〜５０秒程度）を要するためである。
【００２２】
また、ＢＨＴ１は、工場や店舗等の事業所で使用することが多く、このような事業所では、作業者の勤務時間のスケジュール、即ち、ＢＨＴ１の動作スケジュールが決まっている。この動作スケジュールの一例を、下記の表１に示す。
【００２３】
【表１】
2007299310.tif 000003
そして、このような構成の動作スケジュールのデータテーブルが、予めＦＬＡＳＨＲＯＭ６内の所定のエリアに登録されている。尚、この動作スケジュールの登録作業は、ユーザーによって実行される。この場合、上記ＦＬＡＳＨＲＯＭ６は、記憶手段を構成している。
【００２４】
次に、上記した構成のＢＨＴ１の動作、特には、オートパワーオフが発生したときの動作について、図２のフローチャートに従って説明する。まず、図２のステップＳ１０において、ＢＨＴ１を起動して、通常の読取作業を実行する。この後、ユーザーがＢＨＴ１を操作することをやめて他の作業を行なっていたりすると、オートパワーオフ条件に達する時間が経過することがある。すると、ステップＳ２０に進み、オートパワーオフ処理が発生する。続いて、ステップＳ３０へ進み、動作スケジュールが登録されているか否かが判断される。
【００２５】
ここで、動作スケジュールが登録されている場合には、ステップＳ３０にて「ＹＥＳ」へ進み、ステップＳ４０へ進む。このステップＳ４０においては、動作スケジュールに基づいて現在の時刻が就業中であるか（例えば表１の動作スケジュールにおいてＢＵＳＹであるか）否かが判断される。この判断において、就業中でないとき（即ち、作業時間外または休息時間内のとき）には、ステップＳ４０にて「ＮＯ」へ進み、電源オフの処理を行なう、即ち、ステップＳ５０以下の処理を行なう。
【００２６】
まず、ステップＳ５０においては、動作スケジュールと現在時刻から、次に作業開始する時刻の直前までの時間、即ち、次回復帰時間Ｚを推測して算出する。尚、次に作業開始する時刻の直前としては、作業開始する時刻そのものでも良いし、それよりも少し前（例えば数分前）の時刻でも良い。
【００２７】
そして、ステップＳ６０へ進み、ＲＡＭ情報退避処理、即ち、ＲＡＭ５内のデータをＦＬＡＳＨＲＯＭ６内へ退避させる処理を実行する。続いて、ステップＳ７０へ進み、ＢＨＴ１の電源をオフして電源オフ状態にする。この状態では、ＣＰＵ２を除いてＢＨＴ１の各部への電源供給をほとんど停止した状態（ＲＡＭ５への電源供給も停止した状態）である。
【００２８】
そして、ステップＳ８０へ進み、上記次回復帰時間Ｚが経過したか否かを判断する。ここで、次回復帰時間Ｚが経過したときには、ステップＳ８０にて「ＹＥＳ」へ進み、ステップＳ９０へ進み、スタンバイ状態へ移行する。このスタンバイ状態では、ＲＡＭ５への電源供給が開始されるが、表示器８、照明部１８、受光部３、通信部９、１０等に対する電源供給を停止した状態となる。
【００２９】
続いて、ステップＳ１００へ進み、ＦＬＡＳＨＲＯＭ６に退避しておいたデータ（ＲＡＭ情報）をＲＡＭ５へ復帰させる処理を実行する。そして、ステップＳ１１０へ進み、ユーザーにより電源オン操作されるまで待機する。
【００３０】
一方、前記ステップＳ４０の判断において、就業中であるときには、「ＹＥＳ」へ進み、ステップＳ１２０へ進み、スタンバイ状態へ移行する。このスタンバイ状態では、少なくともＲＡＭ５への電源供給が維持されるが、表示器８、照明部１８、受光部３、通信部９、１０等に対する電源供給を停止した状態となる。続いて、ステップＳ１１０へ進み、ユーザーにより電源オン操作されるまで待機するように構成されている。
【００３１】
また、前記ステップＳ３０において、動作スケジュールが登録されていない場合には、「ＮＯ」へ進み、ＢＨＴ１の電源をオフするための処理を実行する。まず、ステップＳ１３０へ進み、ＢＨＴ１を電源オフするために、ＲＡＭ情報退避処理、即ち、ＲＡＭ５内のデータをＦＬＡＳＨＲＯＭ６内へ退避させる処理を実行する。続いて、ステップＳ１４０へ進み、ＢＨＴ１の電源をオフして電源オフ状態にする。そして、ステップＳ１１０へ進み、ユーザーにより電源オン操作されるまで待機するようになっている。
【００３２】
このような構成の本実施例によれば、作業開始時刻や休息開始時刻や作業終了時刻等の情報からなる動作スケジュールをＦＬＡＳＨＲＯＭ６に記憶させ、オートパワーオフ条件に達したときに、現在時刻と上記動作スケジュールに基づいてスタンバイ状態または電源オフ状態のいずれかを選択して移行させるように構成したので、ユーザーが電源オン操作する可能性が低いときには、電源オフにすることができ、ユーザーが電源オン操作する可能性が高いときには、スタンバイ状態にすることができる。従って、節電効果をより一層高めることができると共に、オートパワーオフした状態から通常の運転状態に戻るときに要する時間を、極力、従来構成と同等程度にすることができる。
【００３３】
具体的には、上記実施例において、オートパワーオフ条件に達した後、ユーザーが電源オン操作する可能性が高いときとして、現在時刻が作業時間内であるときに、スタンバイ状態に移行させて待機させるように構成したので、ユーザーが電源オン操作したときに、ＢＨＴ１を速やかに電源オン状態に復帰させることが可能となる。
【００３４】
また、オートパワーオフ条件に達したときに、現在時刻が作業時間外または休息時間内であるときには、ＢＨＴ１を電源オフ状態に移行させ、作業開始時刻の直前でスタンバイ状態に移行させて待機するように構成したので、電源オフ状態に移行させることにより、節電効果を高めることができる。そして、この構成の場合、作業開始時刻の直前でスタンバイ状態に移行させて待機するように構成したので、ユーザーが電源オン操作したときに、ＢＨＴ１を速やかに電源オン状態に復帰させることが可能となる。
【００３５】
更に、上記実施例においては、動作スケジュールが記憶されていないときには、電源オフ状態に移行させるように構成したので、節電効果を高めることができる。尚、この場合、ユーザーが動作スケジュールを設定しないのであるから、ユーザーが電源オン操作をして電源オンに復帰させるときに、多少時間がかかっても、問題ないと考えられる。
【００３６】
図３は、本発明の第２の実施例を示すものである。尚、第１の実施例と同一構成（ステップ）には同一符号（ステップ番号）を付している。この第２の実施例においては、オートパワーオフ条件に達したときに、現在時刻が作業時間外または休息時間内であっても、現在時刻から作業開始時刻までの時間が設定時間以下であるときには、スタンバイ状態を選択して移行させて待機するように構成されている。以下、図３のフローチャートに従って具体的に説明する。
【００３７】
まず、図３のフローチャートに示すように、ステップＳ１０からステップＳ３０までは、第１の実施例と同じである。そして、ステップＳ３０において、動作スケジュールが登録されていない場合には、「ＮＯ」へ進み、第１の実施例と同様に、ステップＳ１３０、ステップＳ１４０を実行し、ステップＳ１１０へ進む。
【００３８】
一方、動作スケジュールが登録されている場合には、ステップＳ３０にて「ＹＥＳ」へ進み、ステップＳ３１０へ進む。このステップＳ３１０においては、設定時間Ｙを自動設定するか否かを判断する。尚、自動設定するか否かの指定は、ユーザーが予め設定画面で指定しておく。また、自動設定しない（即ち、手動設定する）場合には、ユーザーは、設定時間Ｙを予め手動入力して設定しておく（尚、デフォルト値は予め設定されている）。
【００３９】
上記ステップＳ３１０において、設定時間Ｙを自動設定するときには、「ＹＥＳ」へ進み、ステップＳ３２０へ進む。このステップＳ３２０では、動作スケジュールからすべての休止時間（Ｘ１，Ｘ２，・・・）を算出する。例えば、動作スケジュールが前記した表１である場合、休止時間（Ｘ１，Ｘ２，・・・）は下記の表２で示すように算出される。
【００４０】
【表２】
2007299310.tif 000004
続いて、ステップＳ３３０へ進み、最小（最短）の休止時間（Ｘｍｉｎ）を選択する（上記表２の場合、Ｘｍｉｎは１５分となる）。そして、ステップＳ３４０へ進み、最小の休止時間（Ｘｍｉｎ）を２倍した時間を設定時間Ｙとして設定する（上記表２の場合、Ｘｍｉｎは１５分であるから、設定時間Ｙは３０分となる）。
【００４１】
次に、ステップＳ５０へ進み、動作スケジュールと現在時刻から、次に作業開始する時刻の直前までの時間、即ち、次回復帰時間Ｚを推測して算出する。そして、ステップＳ５１０へ進み、次回復帰時間Ｚが設定時間Ｙよりも大きいか否かを判断する。
【００４２】
ここで、次回復帰時間Ｚが設定時間Ｙよりも大きいときには、ステップＳ５１０にて「ＹＥＳ」へ進み、以下、第１の実施例と同様に、ステップＳ６０〜ステップＳ１１０を実行する。
【００４３】
一方、上記ステップＳ５１０において、次回復帰時間Ｚが設定時間Ｙ以下のときには、「ＮＯ」へ進み、ステップＳ１２０へ進み、スタンバイ状態へ移行する。続いて、ステップＳ１１０へ進み、ユーザーにより電源オン操作されるまで待機するように構成されている。
【００４４】
また、上記ステップＳ３１０において、設定時間Ｙを自動設定しないときには、「ＮＯ」へ進み、ステップＳ３５０へ進む。このステップＳ３５０では、予め手動により設定された設定時間Ｙを、上記設定時間Ｙとして設定する。続いて、ステップＳ５０へ進み、次回復帰時間Ｚを推測して算出する。これ以降の処理は、上述した通りである。
【００４５】
そして、上述した以外の第２の実施例の構成は、第１の実施例と同じ構成となっている。従って、第２の実施例においても、第１の実施例とほぼ同じ作用効果を得ることができる。特に、第２の実施例では、オートパワーオフ条件に達したときに、現在時刻が作業時間外または休息時間内であっても、現在時刻から作業開始時刻までの時間が設定時間Ｙ以下であるときには、スタンバイ状態に移行させて待機するように構成したので、作業開始時刻までの時間（即ち、休止時間）が短い場合には、電源オフされることがない、即ち、ＲＡＭ情報退避処理が実行されない。これにより、ＦＬＡＳＨＲＯＭ６へのデータの書き込み回数を低減できることから、書き込み回数に制限があるＦＬＡＳＨＲＯＭ６の寿命を長くすることが可能となる。
【００４６】
また、上記第２の実施例の場合、設定時間Ｙを、動作スケジュールの中の最短の休息時間Ｘｍｉｎに基づいて自動的に設定したので、即ち、最短の休息時間Ｘｍｉｎの２倍の時間を設定時間Ｙとしたので、設定時間Ｙを容易且つ適切に自動設定することができる。更に、上記第２の実施例では、設定時間Ｙを、ユーザーにより手動で設定することが可能であるから、ユーザーの好みの制御を実現することも可能である。
【００４７】
図４は、本発明の第３の実施例を示すフローチャートである。この第３の実施例では、スタンバイ状態に移行させて、ユーザーの電源オン操作を待機している状態において、待機開始から予め決めた所定（設定）時間が経過したときには、電源オフ状態に移行させるように構成した。
【００４８】
具体的には、図４のステップＳ６１０において、スタンバイ状態に移行した状態で、ユーザーにより電源オン操作されるまで待機しているときに、ステップＳ６２０へ進み、待機開始から予め決めた所定時間が経過したか否かを判断する。ここで、所定時間が経過したら、ステップＳ６２０にて「ＹＥＳ」へ進み、ステップＳ６３０へ進み、ＲＡＭ情報退避処理、即ち、ＲＡＭ５内のデータをＦＬＡＳＨＲＯＭ６内へ退避させる処理を実行する。
【００４９】
続いて、ステップＳ６４０へ進み、ＢＨＴ１の電源をオフして電源オフ状態にする。そして、ステップＳ６５０へ進み、ユーザーにより電源オン操作されるまで待機するように構成されている。
【００５０】
尚、この第３の実施例の制御は、第１の実施例及び第２の実施例の制御に適宜組み込むことが好ましい。
上記第３の実施例によれば、スタンバイ状態でユーザーにより電源オン操作されるまで長時間待機する構成に比べて、電源オフ状態で待機するので、節電効果を高めることができる。
【００５１】
尚、上記第３の実施例において、所定時間をユーザーにより手動で変更設定可能なように構成することが好ましい。
【図面の簡単な説明】
【００５２】
【図１】本発明の第１の実施例を示すＢＨＴのブロック図
【図２】フローチャート
【図３】本発明の第２の実施例を示す図２相当図
【図４】本発明の第３の実施例を示すフローチャート
【符号の説明】
【００５３】
図面中、１はＢＨＴ（携帯端末）、２はＣＰＵ（運転制御手段）、３は受光部、４は画像処理部、５はＲＡＭ、６はＦＬＡＳＨＲＯＭ（不揮発性メモリ、記憶手段）、１１は操作部、１２は電源回路、１３は電池、１４はＣＣＤを示す
【図１】
2007299310.tif 000005
【図２】
2007299310.tif 000006
【図３】
2007299310.tif 000007
【図４】
2007299310.tif 000008